【手続補正書】
【提出日】平成19年1月11日(2007.1.11)
【手続補正１】
【補正対象書類名】明細書
【補正対象項目名】特許請求の範囲
【補正方法】変更
【補正の内容】
【特許請求の範囲】
【請求項１】  所定の大きさの分割画像に回転処理を施す画像処理装置であって、
第１のサイズの原画像を第１の座標を基準として前記分割画像に分割し、全体で第２のサイズとなる複数の分割画像の集合を生成する生成手段と、
前記第２のサイズとなる複数の分割画像の集合の中心点に関して前記複数の分割画像の集合を回転処理する処理手段と、
前記回転処理された前記複数の分割画像の集合に基づき、前記原画像に対応する出力画像を前記第１の座標を基準として出力する出力手段とを有し、
前記生成手段が、前記処理手段による回転処理の内容に応じて、前記第１のサイズと前記第２のサイズの差分領域をどの分割画像が含むかを決定することで、前記出力画像に回転処理された原画像全体が含まれるようにすることを特徴とする画像処理装置。
【請求項２】  前記出力手段は、前記第１の座標から順次横方向に画素をライン出力するライン出力手段であり、
前記生成手段は、前記ライン出力手段によりライン単位で無効画像が出力されないように、前記差分領域を含む分割画像を決定することを特徴とする請求項１に記載の画像処理装置。
【請求項３】  前記分割画像は、位置座標テーブルにより管理されるタイル画像であり、
前記処理手段は、前記位置座標テーブルの書き換えと、各タイル内における画素単位での回転処理により、複数のタイル画像の集合の回転処理を行うことを特徴とする請求項１または２に記載の画像処理装置。
【請求項４】  前記生成手段は、前記タイル画像に属性情報を付加したデータパケットを生成し、
前記処理手段は、前記データパケットの属性情報に基づき前記タイル画像を処理することを特徴とする請求項３に記載の画像処理装置。
【請求項５】  印刷装置で印刷するためのページ画像の画像処理を制御する制御手段をさらに有し、
前記制御手段は、前記印刷装置を用いた両面上下開き出力が設定された場合、奇数ページは前記処理手段による回転処理を行わせず、偶数ページは前記処理手段に回転処理を行わせるように制御することを特徴とする請求項１〜４のいずれかに記載の画像処理装置。
【請求項６】  所定の大きさの分割画像に鏡像変換処理を施す画像処理装置であって、
第１のサイズの原画像を第１の座標を基準として前記分割画像に分割し、全体で第２のサイズとなる複数の分割画像の集合を生成する生成手段と、
前記第２のサイズとなる複数の分割画像の集合の中心軸に関して前記複数の分割画像の集合を鏡像変換処理する処理手段と、
前記鏡像変換処理された前記複数の分割画像の集合に基づき、前記原画像に対応する出力画像を前記第１の座標を基準として出力する出力手段とを有し、
前記生成手段が、前記処理手段による鏡像変換処理の内容に応じて、前記第１のサイズと前記第２のサイズの差分領域をどの分割画像が含むかを決定することで、前記出力画像に回転処理された原画像全体が含まれるようにすることを特徴とする画像処理装置。
【請求項７】  所定の大きさの分割画像に回転処理を施す画像処理方法であって、
第１のサイズの原画像を第１の座標を基準として前記分割画像に分割し、全体で第２のサイズとなる複数の分割画像の集合を生成する生成工程と、
前記第２のサイズとなる複数の分割画像の集合の中心点に関して前記複数の分割画像の集合を回転処理する処理工程と、
前記回転処理された前記複数の分割画像の集合に基づき、前記原画像に対応する出力画像を前記第１の座標を基準として出力する出力工程とを有し、
前記生成工程が、前記処理工程における回転処理の内容に応じて、前記第１のサイズと前記第２のサイズの差分領域をどの分割画像が含むかを決定することで、前記出力画像に回転処理された原画像全体が含まれるようにすることを特徴とする画像処理方法。
【請求項８】  所定の大きさの分割画像に鏡像変換処理を施す画像処理方法であって、
第１のサイズの原画像を第１の座標を基準として前記分割画像に分割し、全体で第２のサイズとなる複数の分割画像の集合を生成する生成工程と、
前記第２のサイズとなる複数の分割画像の集合の中心軸に関して前記複数の分割画像の集合を鏡像変換処理する処理工程と、
前記鏡像変換処理された前記複数の分割画像の集合に基づき、前記原画像に対応する出力画像を前記第１の座標を基準として出力する出力工程とを有し、
前記生成工程が、前記処理工程における鏡像変換処理の内容に応じて、前記第１のサイズと前記第２のサイズの差分領域をどの分割画像が含むかを決定することで、前記出力画像に回転処理された原画像全体が含まれるようにすることを特徴とする画像処理方法。
【請求項９】  所定の大きさの分割画像に回転処理を施す画像処理方法を実行するためのプログラムであって、
第１のサイズの原画像を第１の座標を基準として前記分割画像に分割し、全体で第２のサイズとなる複数の分割画像の集合を生成する生成ステップと、
前記第２のサイズとなる複数の分割画像の集合の中心点に関して前記複数の分割画像の集合を回転処理する処理ステップと、
前記回転処理された前記複数の分割画像の集合に基づき、前記原画像に対応する出力画像を前記第１の座標を基準として出力する出力ステップとを有し、
前記生成ステップが、前記処理ステップにおける回転処理の内容に応じて、前記第１のサイズと前記第２のサイズの差分領域をどの分割画像が含むかを決定することで、前記出力画像に回転処理された原画像全体が含まれるようにすることを特徴とするプログラム。
【請求項１０】  所定の大きさの分割画像に鏡像変換処理を施す画像処理方法を実行するためのプログラムであって、
第１のサイズの原画像を第１の座標を基準として前記分割画像に分割し、全体で第２のサイズとなる複数の分割画像の集合を生成する生成ステップと、
前記第２のサイズとなる複数の分割画像の集合の中心軸に関して前記複数の分割画像の集合を鏡像変換処理する処理ステップと、
前記鏡像変換処理された前記複数の分割画像の集合に基づき、前記原画像に対応する出力画像を前記第１の座標を基準として出力する出力ステップとを有し、前記生成ステップが、前記処理ステップにおける鏡像変換処理の内容に応じて、前記第１のサイズと前記第２のサイズの差分領域をどの分割画像が含むかを決定することで、前記出力画像に回転処理された原画像全体が含まれるようにすることを特徴とするプログラム。
【手続補正２】
【補正対象書類名】明細書
【補正対象項目名】０００９
【補正方法】変更
【補正の内容】
【０００９】
【課題を解決するための手段】
上記目的を達成するために、本発明の画像処理装置は、所定の大きさの分割画像に回転処理を施す画像処理装置であって、第１のサイズの原画像を第１の座標を基準として前記分割画像に分割し、全体で第２のサイズとなる複数の分割画像の集合を生成する生成手段と、前記第２のサイズなる複数の分割画像の集合の中心点に関して前記複数の分割画像の集合を回転処理する処理手段と、前記回転処理された前記複数の分割画像の集合に基づき、前記原画像に対応する出力画像を前記第１の座標を基準として出力する出力手段とを有し、前記生成手段が、前記処理手段による回転処理の内容に応じて、前記第１のサイズと前記第２のサイズの差分領域をどの分割画像が含むかを決定することで、前記出力画像に回転処理された原画像全体が含まれるようにすることを特徴とする。
【手続補正３】
【補正対象書類名】明細書
【補正対象項目名】００１０
【補正方法】変更
【補正の内容】
【００１０】
また、本発明の画像処理装置は、所定の大きさの分割画像に鏡像変換処理を施す画像処理装置であって、第１のサイズの原画像を第１の座標を基準として前記分割画像に分割し、全体で第２のサイズとなる複数の分割画像の集合を生成する生成手段と、前記第２のサイズなる複数の分割画像の集合の中心軸に関して前記複数の分割画像の集合を鏡像変換処理する処理手段と、前記鏡像変換処理された前記複数の分割画像の集合に基づき、前記原画像に対応する出力画像を前記第１の座標を基準として出力する出力手段とを有し、前記生成手段が、前記処理手段による鏡像変換処理の内容に応じて、前記第１のサイズと前記第２のサイズの差分領域をどの分割画像が含むかを決定することで、前記出力画像に回転処理された原画像全体が含まれるようにすることを特徴とする。
【手続補正４】
【補正対象書類名】明細書
【補正対象項目名】００１１
【補正方法】変更
【補正の内容】
【００１１】
また、本発明の画像処理方法は、所定の大きさの分割画像に回転処理を施す画像処理方法であって、第１のサイズの原画像を第１の座標を基準として前記分割画像に分割し、全体で第２のサイズとなる複数の分割画像の集合を生成する生成工程と、前記第２のサイズなる複数の分割画像の集合の中心点に関して前記複数の分割画像の集合を回転処理する処理工程と、前記回転処理された前記複数の分割画像の集合に基づき、前記原画像に対応する出力画像を前記第１の座標を基準として出力する出力工程とを有し、前記生成工程が、前記処理工程における回転処理の内容に応じて、前記第１のサイズと前記第２のサイズの差分領域をどの分割画像が含むかを決定することで、前記出力画像に回転処理された原画像全体が含まれるようにすることを特徴とする。
【手続補正５】
【補正対象書類名】明細書
【補正対象項目名】００１２
【補正方法】変更
【補正の内容】
【００１２】
また、本発明の画像処理方法は、所定の大きさの分割画像に鏡像変換処理を施す画像処理方法であって、第１のサイズの原画像を第１の座標を基準として前記分割画像に分割し、全体で第２のサイズとなる複数の分割画像の集合を生成する生成工程と、前記第２のサイズなる複数の分割画像の集合の中心軸に関して前記複数の分割画像の集合を鏡像変換処理する処理工程と、前記鏡像変換処理された前記複数の分割画像の集合に基づき、前記原画像に対応する出力画像を前記第１の座標を基準として出力する出力工程とを有し、前記生成工程が、前記処理工程における鏡像変換処理の内容に応じて、前記第１のサイズと前記第２のサイズの差分領域をどの分割画像が含むかを決定することで、前記出力画像に回転処理された原画像全体が含まれるようにすることを特徴とする。
【手続補正６】
【補正対象書類名】明細書
【補正対象項目名】００１３
【補正方法】変更
【補正の内容】
【００１３】
また、本発明のプログラムは、所定の大きさの分割画像に回転処理を施す画像処理方法を実行するためのプログラムであって、第１のサイズの原画像を第１の座標を基準として前記分割画像に分割し、全体で第２のサイズとなる複数の分割画像の集合を生成する生成ステップと、前記第２のサイズなる複数の分割画像の集合の中心点に関して前記複数の分割画像の集合を回転処理する処理ステップと、前記回転処理された前記複数の分割画像の集合に基づき、前記原画像に対応する出力画像を前記第１の座標を基準として出力する出力ステップとを有し、前記生成ステップが、前記処理ステップにおける回転処理の内容に応じて、前記第１のサイズと前記第２のサイズの差分領域をどの分割画像が含むかを決定することで、前記出力画像に回転処理された原画像全体が含まれるようにすることを特徴とする。
【手続補正７】
【補正対象書類名】明細書
【補正対象項目名】００１４
【補正方法】変更
【補正の内容】
【００１４】
また、本発明のプログラムは、所定の大きさの分割画像に鏡像変換処理を施す画像処理方法を実行するためのプログラムであって、第１のサイズの原画像を第１の座標を基準として前記分割画像に分割し、全体で第２のサイズとなる複数の分割画像の集合を生成する生成ステップと、前記第２のサイズなる複数の分割画像の集合の中心軸に関して前記複数の分割画像の集合を鏡像変換処理する処理ステップと、前記鏡像変換処理された前記複数の分割画像の集合に基づき、前記原画像に対応する出力画像を前記第１の座標を基準として出力する出力ステップとを有し、前記生成ステップが、前記処理ステップにおける鏡像変換処理の内容に応じて、前記第１のサイズと前記第２のサイズの差分領域をどの分割画像が含むかを決定することで、前記出力画像に回転処理された原画像全体が含まれるようにすることを特徴とする。